(57)【要約】【課題】複数種の薬剤でも確実に服用することができると共に、使用者が薬剤服用具であることを意識することなく日常の生活の中で違和感なく自然に、かつ極めて簡単に使用できる陶磁製薬剤服用具を提供する。【解決手段】本考案の陶磁製薬剤服用具１は、外縁部２付近が上方または斜め上方に向かって延出し上端が開口した有底陶磁器であって、有底陶磁器の内面には、凸条部３によって区画された複数の薬剤配置部４と、薬剤配置部４に隣接して設けられた隆起部５が形成されている。このため、複数設けられた薬剤配置部４に、種類の異なる薬剤を配して簡単かつ確実に服用することができる。【選択図】図１
0003127302.tif 000002
【実用新案登録請求の範囲】
【請求項１】
外縁部付近が上方または斜め上方に向かって延出し上端が開口した有底陶磁器であって、該有底陶磁器の内面には、凸条部によって区画された複数の薬剤配置部と、該薬剤配置部に隣接して設けられた隆起部が形成されていることを特徴とする陶磁製薬剤服用具。
【請求項２】
前記薬剤配置部の数が異なる複数の前記陶磁製薬剤服用具からなる請求項１に記載の陶磁製薬剤服用具。
【請求項３】
前記陶磁製服用具は、上端が開口した有底筒状陶磁器であって側壁の中央部付近が下方部に比して環状に細く形成された陶磁製薬剤服用具との組み合わせからなる請求項１または２に記載の陶磁製薬剤服用具。
【考案の詳細な説明】
【技術分野】
【０００１】
本考案は、処方された薬剤などを服用する際に使用して好適な陶磁製薬剤服用具に関するものである。
【背景技術】
【０００２】
従来より、病院等で処方される薬剤が複数種類に渡ることがあり、日々の服用に際して飲み忘れが生じることがある。
このような薬剤の飲み忘れを防止するもの、または服用を補助するものとして、実開平６−５８９４９号公報、実用新案登録第３０３５８０９号公報、または特開２００６−４２９１０号公報などの各種薬剤の飲み忘れ防止具または装置が提案されている。
【０００３】
しかし、これらのものは、いずれも一見して明らかに薬剤服用具であると共に、使用方法が煩雑で、使用者が違和感なく日常の生活の中で自然に使用できるものではなかった。
【特許文献１】実開平６−５８９４９号公報
【特許文献２】実用新案登録第３０３５８０９号公報
【特許文献３】特開２００６−４２９１０号公報
【考案の開示】
【考案が解決しようとする課題】
【０００４】
そこで、本考案の課題は、複数種の薬剤でも確実に服用することができると共に、使用者が薬剤服用具であることを意識することなく日常の生活の中で違和感なく自然に、かつ極めて簡単に使用できる陶磁製薬剤服用具を提供することにある。
【課題を解決するための手段】
【０００５】
上記課題を解決するものは、外縁部付近が上方または斜め上方に向かって延出し上端が開口した有底陶磁器であって、該有底陶磁器の内面には、凸条部によって区画された複数の薬剤配置部と、該薬剤配置部に隣接して設けられた隆起部が形成されていることを特徴とする陶磁製薬剤服用具である。
【０００６】
前記薬剤配置部の数が異なる複数の前記陶磁製薬剤服用具からなることが好ましい。前記陶磁製服用具は、上端が開口した有底筒状陶磁器であって側壁の中央部付近が下方部に比して環状に細く形成された陶磁製薬剤服用具との組み合わせからなるものであってもよい。
【考案の効果】
【０００７】
請求項１に記載した考案によれば、複数種の薬剤でも確実に服用することができると共に、使用者が薬剤服用具であることを意識することなく、日常の生活の中で違和感なく自然に、かつ極めて簡単に使用できる陶磁製服用具となる。
請求項２に記載した考案によれば、上記請求項１に記載された効果に加え、処方された薬剤の種類数に応じた薬剤配置部を備えた陶磁製薬剤服用具を選択して使用できる。
請求項３に記載した考案によれば、上記請求項１または２に記載された効果に加え、一度で十分に飲み込めなかった薬剤を、陶磁製薬剤服用具に残留した水で飲み込むことができる。
【考案を実施するための最良の形態】
【０００８】
本考案では、複数の薬剤配置部を備えた陶磁器からなる陶磁製薬剤服用具を提供することで、使用者が薬剤服用具であることを意識することなく日常の生活の中で違和感なく自然に、かつ極めて簡単に使用できる陶磁製薬剤服用具を実現した。
【実施例１】
【０００９】
図１は本考案の陶磁製薬剤服用具の一実施例の平面図であり、図２は図１のＡ−Ａ線断面図であり、図３は図１のＢ−Ｂ線断面図であり、図４は図１に示した陶磁製薬剤服用具の使用状態を示した斜視概略図である。
【００１０】
この実施例の陶磁製薬剤服用具１は、外縁部２付近が上方または斜め上方に向かって延出し上端が開口した有底陶磁器であって、有底陶磁器の内面には、凸条部３によって区画された複数の薬剤配置部４と、薬剤配置部４に隣接して設けられた隆起部５が形成されている。以下、各構成について順次詳述する。
【００１１】
この陶磁製薬剤服用具１は、図１に示すように、外縁部２が連結された５本の曲線からなり、平面視で雲型の外観形状に構成されたものである。この外縁部２付近は、図２に示すように、斜め上方に向かって延出しており、さらに上端が開口しているため、一見して小皿を想起させる有底陶磁器にて構成されている。
【００１２】
この有底陶磁器の内面には、外縁部２からそれぞれ中央部に向かって延在する５本の凸条部３が形成されており、これら凸条部３によって、区画された５つの薬剤配置部４が設けられている。なお、この実施例の陶磁製薬剤服用具１は、凸条部３が外縁部２を基点として延在しているが、凸条部３は有底陶磁器の内面を複数に区画するものであればどのようなものでよく、外縁部２とは離間した位置から延在するものも本考案の範疇に包含される。
【００１３】
薬剤配置部５は、図４に示すように、異なる種類の薬剤をそれぞれ配置する部位であり、服用に先立って異なる種類の薬剤を異なる薬剤配置部５に配置して服用すれば、飲み忘れや飲み過ぎを防止でき必要な薬剤を確実に服用できる。このように、本考案の陶磁製薬剤服用具１は、異なる種類の薬剤を薬剤配置部５にそれぞれ配置するのみで極めて簡単に使用できる。
【００１４】
有底陶磁器の内面中央部付近には、図１ないし図３に示すように、５つの薬剤配置部４に隣接して隆起部５が形成されており、これによって、有底陶磁器の内面において、薬剤配置部５が凹部となるため、薬剤をより安定して配置することができる。なお、この実施例の隆起部５は、図２または図３に示すように、底部の一部が他の部位と略同一肉厚に形成され、かつ、上方に向かって山型となるように形成されて構成されているが、底部の一部が他の部位に比して肉厚に形成されることにより隆起、構成されたものも本考案の範疇に包含される。また、この実施例の隆起部５は、なだらかな湾曲面にて形成されているが、角部を有する隆起部を有するものも本考案の範疇に包含される。さらに、この実施例の底部の下方にはハマが形成されているが、ハマが形成されていないものも本考案の範疇に包含される。
【００１５】
そして、陶磁製薬剤服用具１は陶磁器にて形成され、一見して食器の様相を呈しているため、使用者が特に薬剤服用具と意識することもなく、日常の生活の中で違和感なく自然に使用できる。
【００１６】
つぎに、図５ないし図７に示した本考案の他の実施例の陶磁製薬剤服用具１０について説明する。
この実施例の陶磁製薬剤服用具１０と陶磁製薬剤服用具１との基本的な相違は、外観形状と薬剤配置部の数のみであり、他は同様である。同一構成部分には同一符号を付し説明を省略する。
【００１７】
具体的には、この実施例の陶磁製薬剤服用具１０は、図５に示すように、平面視が銀杏の葉型となる外観形状に形成されており、３本の凸条部３が葉の先端から基端付近に設けられた隆起部５に向かって設けられることにより４つの薬剤配置部４が構成されたものであって、４種類以内の薬剤を服用する際に使用して好適なものである。
【００１８】
さらに、図８ないし図１０に示した本考案の他の実施例の陶磁製薬剤服用具２０について説明する。
この実施例の陶磁製薬剤服用具２０と陶磁製薬剤服用具１との基本的な相違もまた、外観形状と薬剤配置部の数のみであり他は同様である。同一構成部分には同一符号を付し説明を省略する。
【００１９】
具体的には、この実施例の陶磁製薬剤服用具２０は、図８に示すように、平面視が松型となる外観形状に形成されており、２本の凸条部３が隆起部５に向かって設けられることにより、３つの薬剤配置部４が構成されたものであって、３種類以内の薬剤を服用する際に使用して好適なものである。
【００２０】
これら本考案の陶磁製薬剤服用具は単体でもよいが、薬剤配置部の数が異なる複数の陶磁製薬剤服用具（例えば、上記陶磁製薬剤服用具１，１０，２０）の組み合わせからなるものであることが好ましい。これにより、処方された薬剤の種類数に応じた薬剤配置部を備えた陶磁製薬剤服用具を選択して使用できる。
【００２１】
さらに、本考案の陶磁製薬剤服用具は、図１１に示したような、上端が開口した有底筒状陶磁器であって側壁３１の中央部３２付近が下方部３３に比して環状に細く形成された陶磁製薬剤服用具３０との組み合わせからなるものであってもよい。すなわち、この陶磁製薬剤服用具３０は、側壁３１の中央部３２付近が下方部３３に比して環状に細く形成されているため、一度傾倒させて水を飲んでも下方部３３内に水が残り易く、図１２に示すように、一度で十分に飲み込めなかった薬剤を陶磁製薬剤服用具３０の下方部３３内に残留した水で飲み込むことができる。このように、陶磁製薬剤服用具３０は、薬剤配置部を備えた陶磁製薬剤服用具１，１０，２０などと組み合わせることにより、一連の薬剤服用を快適に行うことができ薬剤服用補助具として好適である。なお、この実施例の陶磁製薬剤服用具３０は有底円筒状陶磁器であるが、有底多角筒状陶磁器も本考案の範疇に包含される。また、この実施例の陶磁製薬剤服用具３０は上方部が中央部に比して拡径しているが、中央部の形状がそのまま上方部を構成した陶磁製薬剤服用具も本考案の範疇に包含される。さらに、この実施例の陶磁製薬剤服用具３０の底部下方にはハマが形成されているが、ハマが形成されていないものも本考案の範疇に包含される。
【図面の簡単な説明】
【００２２】
【図１】本考案の陶磁製薬剤服用具の一実施例の平面図である。
【図２】図１のＡ−Ａ線断面図である。
【図３】図１のＢ−Ｂ線断面図である。
【図４】図１に示した陶磁製薬剤服用具の使用状態を示した斜視概略図である。
【図５】本考案の陶磁製薬剤服用具の他の実施例の平面図である。
【図６】図５のＣ−Ｃ線断面図である。
【図７】図５のＤ−Ｄ線断面図である。
【図８】本考案の陶磁製薬剤服用具の他の実施例の平面図である。
【図９】図８のＥ−Ｅ線断面図である。
【図１０】図８のＦ−Ｆ線断面図である。
【図１１】本考案の陶磁製薬剤服用具を構成する実施例の一部縦断面図である。
【図１２】図１１に示した陶磁製薬剤服用具の使用状態を示した説明図である。
【符号の説明】
【００２３】
１    陶磁製薬剤服用具
２    外縁部
３    凹条部
４    薬剤配置部
５    隆起部
【図１】
0003127302.tif 000003
【図２】
0003127302.tif 000004
【図３】
0003127302.tif 000005
【図４】
0003127302.tif 000006
【図５】
0003127302.tif 000007
【図６】
0003127302.tif 000008
【図７】
0003127302.tif 000009
【図８】
0003127302.tif 000010
【図９】
0003127302.tif 000011
【図１０】
0003127302.tif 000012
【図１１】
0003127302.tif 000013
【図１２】
0003127302.tif 000014